(57)【要約】    【構成】  受光器１２の支持部１６の一端側は、支持板２４に形成された開口部２６によって支持される。また、支持部１６の他端側は、ガイド板２０に形成されたガイド溝２２ａ、２２ｂによって保持される。この状態で、受光部１４に力を加えると、支持部１６の他端側はガイド溝２２ａ、２２ｂ内を変位するので、受光部１４をガイド板２０上で移動させることができる。    【効果】  受光部の受光方向を簡単な機構により変更することができる。【選択図】  図１
2005057562.tif 000002
【特許請求の範囲】
【請求項１】
リモコン送信機からの光を受光するリモコン受光ユニットであって、
回動支点となる開口部を有する支持板、
前記支持板と所定の間隔を隔てて形成されたガイド板、
前記ガイド板に形成されたガイド溝、および
一端側が前記開口部で回動自在に支持されかつ他端側が前記ガイド溝内を変位可能な支持部と前記支持部の他端側に取り付けられた前記リモコン受光器からの光を受光する受光部とを含む受光器を備える、リモコン受光ユニット。
【請求項２】
前記ガイド板は一定の曲率で湾曲しかつ前記受光器の支持部は一定の長さである、請求項１記載のリモコン受光ユニット。
【請求項３】
前記ガイド溝は前記受光器の支持部を保持する複数の保持部と前記複数の保持部を互いに分離する分離部とを含む、請求項１または２記載のリモコン受光ユニット。
【請求項４】
前記受光器の支持部に前記ガイド溝の溝幅よりも大きな２枚の押圧板がガイド板の厚さに相当する間隔を隔てて対向して形成された、請求項１または２記載のリモコン受光ユニット。
【請求項５】
前記受光器の支持部の一端側の外径を前記支持板の開口部よりも大きく形成した、請求項１ないし４のいずれかに記載のリモコン受光ユニット。
【請求項６】
請求項１ないし５のいずれかに記載のリモコン受光ユニットを備える、電子機器。
【発明の詳細な説明】
【技術分野】
【０００１】
この発明は、リモコン受光ユニットに関し、特にたとえば、テレビ受像機、エアコンなどの電子機器のリモコン受光部に適用され、リモコン送信機からの赤外光を受光する、リモコン受光ユニットに関する。
【背景技術】
【０００２】
従来のこの種のリモコン受光ユニットの一例が、特許文献１および特許文献２に開示されている。
【０００３】
特許文献１の先行技術では、リモコン受光部が、互いに直交する３本の回転軸に対してそれぞれ回転できるように取り付けられている。このため、リモコン受光部を任意の方向に向けることができる。
【０００４】
特許文献２の先行技術では、受光素子を覆う受光部カバーの上下左右に保持部が設けられ、この保持部により受光部カバーが受光部本体に回動自在に取り付けられている。このため、受光部カバーを指で摘んで向きを変えることにより、リモコン受光部を任意の方向に向けることができる。
【特許文献１】特開平４−１０７５３８号公報［Ｇ０３Ｂ  １７／３８］
【特許文献２】特開平６−２６１００４号公報［Ｈ０４Ｂ  １０／１０，Ｈ０４Ｂ  １０／２２，Ｆ２４Ｆ  １１／０２，Ｈ０２Ｊ  １３／００］
【発明の開示】
【発明が解決しようとする課題】
【０００５】
特許文献１の先行技術では、リモコン受光部を３本の軸に対してそれぞれ回転可能なように取り付けて受光方向を変えるので、その機構が複雑となる。また、特許文献２の先行技術では、受光部カバーの周囲に取り付けた保持部で、受光部を受光部本体に回動自在に取り付けるので、その機構が複雑になる。
【０００６】
それゆえに、この発明の主たる目的は、簡単な機構でリモコン受光部の受光方向を容易に変更できる、リモコン受光ユニットを提供することである。
【課題を解決するための手段】
【０００７】
請求項１の発明は、リモコン送信機からの光を受光するリモコン受光ユニットであって、回動支点となる開口部を有する支持板、支持板と所定の間隔を隔てて形成されたガイド板、ガイド板に形成されたガイド溝、および一端側が開口部で回動自在に支持されかつ他端側がガイド溝内を変位可能な支持部と支持部の他端側に取り付けられたリモコン受光器からの光を受光する受光部とを含む受光器を備える、リモコン受光ユニットである。
【０００８】
請求項１の発明では、受光器の支持部の一端側は、支持板に形成された開口部によって支持される。また、支持部の他端側は、ガイド板に形成されたガイド溝によって保持される。この状態で、ガイド溝に沿って受光部に力を加えると、支持部の他端側はガイド溝内を変位するので、受光部もガイド板上を移動する。このため、リモコン送信機からの光の入射方向に応じて、受光部の受光方向を容易に変更することができる。
【０００９】
請求項２の発明は、ガイド板は一定の曲率で湾曲しかつ受光器の支持部は一定の長さである、請求項１記載のリモコン受光ユニットである。
【００１０】
請求項２の発明では、ガイド板は一定の曲率で湾曲しているので、受光器を移動させても、受光部は常にガイド板の表面上にあり、その位置でのガイド板の法線方向を向いている。このため、リモコン送信機からの光が斜め方向から入射しても確実に受光することができる。
【００１１】
請求項３の発明は、ガイド溝は受光器の支持部を保持する複数の保持部と複数の保持部を互いに分離する分離部とを含む、請求項１または２記載のリモコン受光ユニットである。
【００１２】
請求項３の発明では、受光部に力を加えると、受光器の支持部は摩擦抵抗を受けながらも分離部を通過して、隣の保持部に移動させることができる。また、受光部に力を加えなければ、受光器は保持部で保持されるので、受光器をガイド板上に停止させることができる。このため、受光器に力を加えて移動させない限り、受光方向を一定に保つことができる。
【００１３】
請求項４の発明は、受光器の支持部にガイド溝の溝幅よりも大きな２枚の押圧板がガイド板の厚さに相当する間隔を隔てて対向して形成された、請求項１または２記載のリモコン受光ユニットである。
【００１４】
請求項４の発明では、受光器の支持部に取り付けられた２枚の押圧板で、ガイド板を両側から挟むことにより、受光器をガイド板上に固定させることができる。このため、受光器に力を加えて移動させない限り、受光方向を一定に保つことができる。
【００１５】
請求項５の発明は、受光器の支持部の一端側の外径を支持板の開口部よりも大きく形成した、請求項１ないし４のいずれかに記載のリモコン受光ユニットである。
【００１６】
請求項５の発明では、受光器の支持部の一端側の外径を支持板の開口部の直径よりも大きいので、受光器が支持板の開口部から抜けないようにすることができる。このため、受光器の受光方向を所望の方向に変更することができる。
【００１７】
請求項６の発明は、請求項１ないし５のいずれかに記載のリモコン受光ユニットを備える電子機器である。
【００１８】
請求項６の発明では、あらかじめ受光器をリモコン送信機の方向に向けておくことにより、電子機器はリモコン送信機から送信された光を確実に受光することができる。
【発明の効果】
【００１９】
この発明によれば、支持板に形成した回動支点となる開口部と、ガイド板に形成したガイド溝とを利用して受光器を固定するという簡単な機構により、リモコン受光部の受光方向を変更することができる。
【００２０】
この発明の上述の目的，その他の目的，特徴および利点は、図面を参照して行う以下の実施例の詳細な説明から一層明らかとなろう。
【発明を実施するための最良の形態】
【００２１】
図１を参照して、この実施例のリモコン受光ユニット１０は支持板２４を含む。支持板２４は、円筒型のケース３０の底面２８から所定の距離を隔てた位置に、底面２８と対向してケース３０に固定されている。支持板２４の中心部には、円形の開口部２６が設けられており、この開口部２６に受光器１２の一端側が挿通されている。このため、受光器１２は開口部２６によって回動自在に支持される。
【００２２】
ガイド板２０は、支持板２４から所定の距離だけ隔てた位置に、支持板２４と対向してケース３０に固定されている。ガイド板２０は、支持板２４の開口部２６からガイド板２０上の任意の位置までの距離が一定となるように、一定の曲率で湾曲している。    
【００２３】
ガイド板２０には、その中心部から両側に延びる第１ガイド溝２２ａと、中心部で第１ガイド溝２２ａと直角に交わり、第１ガイド溝２２ａの延びる方向とは異なる方向に延びる第２ガイド溝２２ｂとが形成されている。受光器１２の他端側は、第１ガイド溝２２ａまたは第２ガイド溝２２ｂ内で保持されている状態、すなわち力を加えれば変位可能な状態で停止している。受光器１２の先端面には、取付台３２を介して、リモコン送信機（図示せず）からの赤外光を受光する受光部１４が取り付けられている。受光器２０の支持部１６がガイド溝２２ａ、２２ｂ内を変位しても、取付台３２および受光部１４は、常にガイド板２０の表面上に位置している。
【００２４】
ガイド溝２２ａ、２２ｂの長さは、リモコン受光ユニット１０の正面に対して、どの程度の角度をなす方向から入射する光を受光させたいのかにより決まる。つまり、第１ガイド溝２２ａまたは第２ガイド溝２２ｂの長さ方向のそれぞれの端部と支持板２４の開口部２６とを結ぶ方向が、ガイド板２０の中心部における法線方向に対してなす角度が、所望の角度となるように第１ガイド溝２２ａおよび第２ガイド溝２２ｂの長さを決める。この角度は、リモコン受光ユニット１０をテレビ受像機、エアコンなどの電子機器に取り付けることを考えると、４５度程度が好ましい。
【００２５】
図２を参照して、受光器１２の構成について説明する。受光器１２は、受光部１４と支持部１６とを含む。支持部１２は断面が円形の細長い棒状の形状をしている。支持部１６の一端側には、その外径が支持板２４に設けられた開口部２６の直径よりも大きなストッパ１８が取り付けられている。このため、支持部１６は支持板２４の開口部２６から抜けることはない。
【００２６】
支持部１６の他端側も受光部１４を取り付けやすいように取付台３２が形成されている。ストッパ１８と取付台３２とに挟まれた支持部１６は、ストッパ１８近傍で支持板２４の開口部２６によって回動自在に支持され、かつ取付台３２近傍でガイド溝２２ａ、２２ｂの内部を変位できる一様な太さに形成されている。
【００２７】
受光部１４は、受光部１４と同じ大きさの取付台３２を介して、支持部１６に固定されている。受光部１４の内部には、リモコン送信機からの赤外光を受光する受光素子（図示せず）が固定されている。受光素子は、受光した光を電気信号に変換し、支持部１６の内部に形成された貫通孔の内部の配線を介して、変換した電気信号をリモコン受光ユニット１０が装着されたテレビ受像機、エアコンなどの電子機器に与える。
【００２８】
図３を参照して、リモコン受光ユニット１０を上面から見た場合の第１ガイド溝２２ａと第２ガイド溝２２ｂの形状について説明する。第１ガイド溝２２ａと第２ガイド溝２２ｂはガイド板２０の中心部で直交しており、各ガイド溝２２ａ、２２ｂは、溝幅の広い部分（保持部）３４ａと溝幅の狭い部分（分離部）３４ｂとが交互に形成されている。分離部３４ｂは、受光部１４を指で摘んでガイド溝２２ａ、２２ｂに沿って押すと、支持部１６がガイド溝２２ａ、２２ｂから摩擦による強い抵抗を受けながらも、通過できる程度の幅である。保持部３４ａは、支持部１６の外径よりも大きい円形の形状をしている。受光部１４に外部から力が加わらない場合、保持部３４ａによって支持部１６は動かないように保持される。このため、受光部１４も外部から力が加わるまで、ガイド板２０上に停止している。
【００２９】
図３に示す場合、保持部３４ａは、第１ガイド溝２２ａと第２ガイド溝２２ｂとの交差部、第１ガイド溝２２ａおよび第２ガイド溝２２ｂのそれぞれの端部、および交差部と各端部との中間部の合計９箇所に形成されている。そして、保持部３４ａと保持部３４ａとの間は分離部３４ｂになっている。また、受光部１４は、第１ガイド溝２２ａと第２ガイド溝２２ｂとの交差点に位置している。
【００３０】
なお、この実施例では２つのガイド溝２２ａ、２２ｂが互いに直交して形成されている場合について説明したが、ガイド溝が１つのみであっても、３つ以上であってもよい。また、２つ以上のガイド溝がある場合、それらは互いに直交していなくても、所定の角度で交差していればよい。
【００３１】
このようなリモコン受光ユニット１０の受光方向を変える場合、受光部１４を指で摘んで、ガイド溝２２ａ、２２ｂに沿って力を加えると、支持部１６は現在保持されているガイド溝２２ａ、２２ｂの保持部３４ａから、隣接する分離部３４ｂを通って隣の保持部３４ａに変位する。受光部１４にさらに力を加えると、支持部１６はさらに変位し、さらに隣の保持部３４ａで保持される。このようにして、受光部１４をガイド板２０上の任意の保持部３４ａのある位置に移動させることができる。
【００３２】
なお、第１ガイド溝２２ａと第２ガイド溝２２ｂは、ガイド板２０の中心部で交差しているので、受光器を第１ガイド溝２２ａから第２ガイド溝２２ｂに変位させたり、逆に第２ガイド溝２２ｂから第１ガイド溝２２ａに変位させたりすることができる。
【００３３】
また、ガイド板２０は一定の曲率で湾曲しているため、受光部１４がガイド板２０上の任意の位置に移動しても、その受光方向は、その位置でのガイド板２０の法線方向を向いている。このため、リモコン受光ユニット１０に対して、リモコン送信機からの赤外光が斜め方向から入射する場合であっても、受光部１４をガイド溝２２ａ、２２ｂに沿って移動させることによって、リモコン送信機からの光を受光しやすくすることができる。なお、受光部１４の動きにしたがって、支持部１６のストッパ１８は、ケース３０の底面２８と支持板２４とで挟まれた空間内を動く。
【００３４】
図４のリモコン受光ユニット１０の断面図を参照して、受光器１４が第２ガイド溝２２ｂの端部にあるときの状態を説明する。支持部１６の一端側は支持板２４の開口部２６に挿通され、ストッパ１８の近傍の支持部１６が開口部２６で回動自在に支持されている。このとき、支持部１６の一端側にはストッパ１８がはめ込まれており、ストッパ１８の外径は開口部２６の直径よりも大きい。このため、支持部１６は開口部２６から抜けることはない。
【００３５】
また、支持部１６がガイド溝２２ａ、２２ｂの保持部３４ａによって保持されるので、受光部１４は外部から力が加えられるまでガイド板２０上に停止している。このとき、受光部１４はその位置でのガイド板２０の法線方向を向いている。
【００３６】
次に、リモコン受光ユニット１０の組立方法について説明する。受光器１２の支持部１６の一端側に、ストッパ１８がはめられている。このため、リモコン受光ユニット１０を組み立てるときは、ストッパ１８をはずして、取付台３２を介して受光部１４が取り付けられた支持部１６を、ガイド板２０の表面側からガイド溝２２ａ、２２ｂの保持部３４ａおよび支持板２４の開口部２６に挿通する。その後、ストッパ１８を支持部１６の一端側にはめ込む。このはめ込みは、たとえば支持部１６とストッパ１８に、互いにねじ込み合せることのできる雄ねじおよび雌ねじを設け、この雄ねじと雌ねじをねじ込み合せることによって行う。
【００３７】
次に、この実施例の他のリモコン受光ユニット１０について説明する。この実施例のリモコン受光ユニット１０の構成は、図５に示すように、図１のリモコン受光ユニット１０の場合とほぼ同一である。このため、図５のリモコン受光ユニット１０の各部のうち、図１のリモコン受光ユニット１０と同一または相当する部分には、図１の番号と同一の番号を付してその説明を省略する。
【００３８】
図５のリモコン受光ユニット１０は、ガイド板２０を両面からはさむ２枚の押圧板３６ａ、３６ｂが、受光器１２に所定の間隔をあけて設けられている。そして、この２枚の押圧板３６ａ、３６ｂでガイド板２０を両側から挟んで、受光部１４をガイド板２０上に停止させる点が、図１のリモコン受光ユニット１０の場合と異なる。このため、図１のガイド溝２２ａ、２２ｂのように保持部３４ａと分離部３４ｂとを設ける必要はないので、第１ガイド溝２２ａおよび第２ガイド溝２２ｂは一定の溝幅になっている。
【００３９】
次に、図６を参照して、この実施例の受光器１２の構成について説明する。この受光器１２は、２枚の押圧板３６ａ、３６ｂを有する点を除いて、図２に示された受光器１２の構成と同一である。このため、同一または相当する部分については図２の受光器１２の対応する部分と同一の番号を付し、その説明を省略する。
【００４０】
受光部１４近傍の支持部１６に、２枚の円形の押圧板３６ａ、３６ｂがガイド板２０の厚さ分だけ離れて対向している。ここで、押圧板３６ａ、３６ｂの大きさはガイド溝の溝幅よりも大きければよく、形状も円形に限らない。２枚の押圧板３６ａ、３６ｂは、いずれもガイド板２０と同じ曲率で湾曲している。このため、押圧板３６ａ、３６ｂによってガイド板２０を挟み込むことによって、受光部１４は、外部から力が加えられると移動する状態で、ガイド板２０上に停止している。そして、受光部１４を指で摘んでガイド溝２２ａ、２２ｂに沿って力を加えると、受光部１４は押圧板３６ａ、３６ｂとガイド板２０との摩擦抵抗を受けながら、ガイド板２０の表面上を、力を加えられた方向に移動する。
【００４１】
図７を参照して、この実施例のリモコン受光ユニット１０を上面から見た場合のガイド溝２２ａ、２２ｂの形状について説明する。このガイド溝２２ａ、２２ｂは、一定の溝幅である点を除いて、図３に示されたガイド溝２２ａ、２２ｂと同一である。このため、同一または相当する部分については図３の対応する部分と同一の番号を付し、その説明を省略する。
【００４２】
受光器１２の支持部１６に設けた２枚の押圧板３６ａ、３６ｂによって、ガイド板２０を両側から挟むので、図１のリモコン受光ユニット１０と異なり、受光器１２の支持部１６をガイド溝２２ａ、２２ｂの任意の位置で保持することができる。なお、ガイド溝２２ａ、２２ｂの溝幅は、支持部１６がガイド溝２２ａ、２２ｂからの摩擦抵抗を軽く受けて変位できるような幅であればよい。この場合、ガイド板２０の表面上には受光部１４および押圧板３６ａが出ている。
【００４３】
図８に示すリモコン受光ユニット１０の断面図を参照して、受光器１２が第２ガイド溝２２ｂの端部ある状態を説明する。図４に示すリモコン受光ユニット１０と同一または相当する部分については図４の対応する部分と同一の番号を付し、その説明を省略する。
【００４４】
図４の場合と異なるのは、受光器１２の支持部１６に設けられた２枚の押圧板３６ａ、３６ｂでガイド板２０を両側から挟んで、受光部１４をガイド板２０上に停止させている点である。このとき、受光部１４は、その位置でのガイド板２０の法線方向を向いている。
【００４５】
次に、このリモコン受光ユニット１０の組立方法について説明する。受光器１２のストッパ１８、押圧板３６ａおよび受光器１４を支持部１６から取りはずした状態で、支持部１６の一端側を支持板２４の開口部２６に挿通する。そして、再びストッパ１８をはめて、支持部１６が開口部２６から抜けないようにする。次に、押圧板３６ｂのみが取り付けられた状態の支持部１６をガイド板２０の内側からガイド溝２２ａ、２２ｂに挿入した後、支持部１６に押圧板３６ａおよび受光部１４を取り付ける。この取り付けは、たとえばストッパ１８と支持部１６、支持部１６と押圧板３６ａとに、それぞれ互いにねじ込み合せることのできる雄ねじと雌ねじをそれぞれ設け、この雄ねじと雌ねじをねじ込み合せることによって行う。
【図面の簡単な説明】
【００４６】
【図１】この発明の一実施例を示す全体図である。
【図２】図１実施例の一部を示す図解図である。
【図３】図１実施例の他の一部を示す図解図である。
【図４】図１実施例の停止状態を示す図解図である。
【図５】この発明の他の実施例を示す全体図である。
【図６】図５実施例の一部を示す図解図である。
【図７】図５実施例の他の一部を示す図解図である。
【図８】図５実施例の停止状態を示す図解図である。
【符号の説明】
【００４７】
１０…リモコン受光ユニット
１２…受光器
１４…受光部
１６…支持部
１８…ストッパ
２０…ガイド板
２２ａ、２２ｂ…ガイド溝
２４…支持板
２６…開口部
３６ａ、３６ｂ…押圧板
【図１】
2005057562.tif 000003
【図２】
2005057562.tif 000004
【図３】
2005057562.tif 000005
【図４】
2005057562.tif 000006
【図５】
2005057562.tif 000007
【図６】
2005057562.tif 000008
【図７】
2005057562.tif 000009
【図８】
2005057562.tif 000010